(57)【要約】【課題】送信機能を有する着脱自在な記録媒体を用いて撮影画像を記録した場合に、送信済みの画像と未送信の画像とを容易に区別することができるようにする。【解決手段】自動送信機能を有する記録媒体に画像データを記録した場合に、送信済みの画像データと未送信の画像データを、当該記録媒体上に形成された別々のフォルダ、すなわちＤＣＩＭ２フォルダとＤＣＩＭフォルダに区別して保存する。この際、送信済みの画像データは、縮小してＤＣＩＭ２フォルダに保存し、ＤＣＩＭフォルダからは削除する。【選択図】図４
2011077654.tif 000002
【特許請求の範囲】
【請求項１】
自動送信機能を有する記録媒体を装着可能な撮像装置において、
撮影した画像データを前記記録媒体上に構築されたファイルシステムの所定のフォルダに保存する第１の保存手段と、
前記所定のフォルダに保存された画像データが前記記録媒体により自動送信された場合に、当該画像データを縮小して縮小画像データを生成する縮小手段と、
前記縮小手段により生成された縮小画像データを前記ファイルシステムの他のフォルダに保存する第２の保存手段と、
前記縮小手段により生成された前記縮小画像データに対応する縮小前の画像データを前記所定のフォルダから削除する削除手段と、
を有することを特徴とする撮像装置。
【請求項２】
前記第２の保存手段は、前記縮小画像データの削除を禁止する情報を付加して当該縮小画像データを前記他のファイルに保存することを特徴とする請求項１に記載の撮像装置。
【請求項３】
前記第２の保存手段は、前記縮小画像データを当該縮小画像データの縮小前の画像データの識別情報を利用して前記他のフォルダに保存することを特徴とする請求項１又は２に記載の撮像装置。
【請求項４】
前記第１の保存手段は、前記所定のフォルダに画像データが保存されていない場合は、前記他のフォルダに保存されている縮小画像データの最大の画像番号の次の画像番号を付与して前記撮影した画像データを当該所定のフォルダに保存することを特徴とする請求項１〜３の何れかに記載の撮像装置。
【請求項５】
前記所定のフォルダに保存された画像データと前記他のフォルダに保存された縮小画像データを前記画像番号に基づいてソートするソート手段と、当該ソート手段によりソートされた順又は逆順に画像再生を行なう再生手段とを有することを特徴とする請求項４に記載の撮像装置。
【請求項６】
自動送信機能を有する記録媒体を装着可能な撮像装置の制御方法において、
撮影した画像データを前記記録媒体上に構築されたファイルシステムの所定のフォルダに保存する第１の保存工程と、
前記所定のフォルダに保存された画像データが前記記録媒体により自動送信された場合に、当該画像データを縮小して縮小画像データを生成する縮小工程と、
前記縮小工程により生成された縮小画像データを前記ファイルシステムの他のフォルダに保存する第２の保存工程と、
前記縮小工程により生成された前記縮小画像データに対応する縮小前の画像データを前記所定のフォルダから削除する削除工程と、
を有することを特徴とする撮像装置の制御方法。
【請求項７】
請求項６に記載の撮像装置の制御方法をコンピュータにより実行するプログラム。
【発明の詳細な説明】
【技術分野】
【０００１】
本発明は、撮像装置、その制御方法、及びプログラムに関し、特に、画像記録媒体として送信機能を有する記録媒体を用いた場合に好適な撮像装置、その制御方法、及びプログラムに関する。
【背景技術】
【０００２】
無線通信装置を備えたデジタルカメラでは、撮影した画像データを無線により他のデジタルカメラやサーバなどに送信することができる。特許文献１では、記録媒体に記録されている主画像を他の通信装置に送信し、送信を完了すると記録媒体内の送信済みの主画像を消去すると共に、その主画像の縮小画像を保存している。
【０００３】
また、近年、無線通信機能を有する着脱自在な記録媒体が実現されている。この記録媒体を用いれば、無線装置を搭載していないデジタルカメラでも、撮影した画像データを無線により送信することができる。
【先行技術文献】
【特許文献】
【０００４】
【特許文献１】特開２００２−０１６８６５号公報
【発明の概要】
【発明が解決しようとする課題】
【０００５】
しかしながら、特許文献１の技術を用いたデジタルカメラでは、使用者が記録媒体に記録されている画像を確認するときに、送信済みの画像と未送信の画像を簡単に区別することができなかった。
【０００６】
また、無線通信機能を有する着脱自在な記録媒体を用いて画像を送信する場合においても、当該記録媒体はデジタルカメラで撮影された画像を自動的に送信してしまうため、送信済みの画像と未送信の画像を簡単に区別することができなかった。
【０００７】
本発明は、このような従来技術の背景の下になされたもので、その目的は、送信機能を有する着脱自在な記録媒体を用いて撮影画像を記録した場合に、送信済みの画像と未送信の画像とを容易に区別することができるようにすることにある。
【０００８】
また、デジタルカメラに用いられる液晶ディスプレイは、近年、高画素高画質化してきてはいるものの、そこに表示して画像を鑑賞するためであれば、画像データは何百万画素ものデータ量を必要としない。つまり、パーソナルコンピュータなどに送信された画像を、デジタルカメラでいつまでも大サイズのまま保持していても、記憶容量を圧迫することになる。
【０００９】
本発明は、上記の目的に加えて、メモリの記憶容量の節約も図ることも目的とする。
【課題を解決するための手段】
【００１０】
上記目的を達成するため、本発明は、自動送信機能を有する記録媒体を装着可能な撮像装置において、撮影した画像データを前記記録媒体上に構築されたファイルシステムの所定のフォルダに保存する第１の保存手段と、前記所定のフォルダに保存された画像データが前記記録媒体により自動送信された場合に、当該画像データを縮小する縮小手段と、前記縮小手段により縮小された縮小画像データを前記ファイルシステムの他のフォルダに保存する第２の保存手段と、前記第２の保存手段により保存された縮小画像データの縮小前の画像データを前記所定のフォルダから削除する削除手段と、を有することを特徴とする。
【発明の効果】
【００１１】
本発明によれば、送信機能を有する着脱自在な記録媒体を用いて撮影画像を記録した場合に、送信済みの画像と未送信の画像とを容易に区別することが可能となる。
【図面の簡単な説明】
【００１２】
【図１】発明の実施の形態に係る撮像装置（デジタルカメラ）の外観図である。
【図２】上記デジタルカメラのハードウェア構成を示すブロック図である。
【図３】上記デジタルカメラに装着される送信機能付き記録媒体のハードウェア構成を示すブロック図である。
【図４】画像データの記録処理を示すフローチャートである。
【図５】画像データの再生表示処理を示すフローチャートである。
【図６】ＤＣＩＭ２フォルダの構成図である。
【図７】ＤＣＩＭ２フォルダに保存された画像データの画像番号を示す図である。
【図８】ＤＣＩＭフォルダの構成図である。
【図９】ＤＣＩＭフォルダに保存された画像データの画像番号を示す図である。
【図１０】ＤＣＩＭフォルダとＤＣＩＭ２フォルダ内の画像データの画像番号をソートしたときの画像番号を示す図である。
【発明を実施するための形態】
【００１３】
以下、本発明を実施するための形態を図面に基づいて説明する。図１は、本発明の実施の形態に係る撮像装置の外観図である。本撮像装置は、デジタルカメラ１００として構成され、背面には画像表示部２８が設けられている。この画像表示部２８には、画像や各種情報が表示される。シャッタボタン６１は、撮影指示等を行うためのシャッタスイッチ６２（図２参照）の操作子である。モードダイアル６０は、各種モードを切り替えるためのダイヤルスイッチの操作子である。コネクタ１１２は、接続ケーブルを介して外部機器とデジタルカメラ１００を電気的に接続するためのコネクタとして使用される。
【００１４】
操作部７０は、ユーザが各種の動作指示を行なうためのスイッチボタン、タッチパネル等の操作部材を有している。記録媒体２００は、メモリカードやハードディスク等の記録媒体であり、撮影した画像データを保存するために用いられる。本実施の形態では、記録媒体２００としては、特に、Ｅｙｅ−Ｆｉ  Ｓｈａｒｅ（登録商標）等の自動送信機能を有する着脱自在な記録媒体を用いることを想定している。
【００１５】
記録媒体スロット２０１は、記録媒体２００を収納するためのスロットである。記録媒体スロット２０１に収納された記録媒体２００は、デジタルカメラ１００との通信が可能となる。蓋２０３は、記録媒体スロット２０１に記録媒体２００を収納していない状態で、記録媒体スロット２０１に塵埃等の異物が入り込むのを防止するために設けられている。このように、デジタルカメラ１００は、自動送信機能を有する記録媒体を安全に装着可能となっている。
【００１６】
図２は、デジタルカメラ１００のハードウェア構成を示すブロック図である。図２において、１０は撮影レンズ、１２は絞り機能を備えるシャッタ、１４は光学像を電気信号に変換する撮像素子、１６は撮像素子１４のアナログ信号出力をデジタル信号に変換するＡ／Ｄ変換器である。１８は撮像素子１４、Ａ／Ｄ変換器１６、Ｄ／Ａ変換器２６にクロック信号や制御信号を供給するタイミング発生部であり、メモリ制御部２２、及びシステム制御部５０により制御される。
【００１７】
２０は画像処理部であり、Ａ／Ｄ変換器１６からの画像データ或いはメモリ制御部２２からの画像データに対して所定の画素補間処理や色変換処理を行う。また、画像処理部２０は、撮像した画像データを用いて所定の演算処理を行う。システム制御部５０は、その演算結果に基づいて、ＡＦ（オートフォーカス）処理、ＡＥ（自動露出）処理、ＥＦ（フラッシュプリ発光）処理、ＴＴＬ方式のＡＷＢ（オートホワイトバランス）処理を行う。
【００１８】
２２はメモリ制御部であり、Ａ／Ｄ変換器１６、タイミング発生部１８、画像処理部２０、画像表示メモリ２４、Ｄ／Ａ変換器２６、メモリ３０、及び圧縮伸長部３２を制御する。メモリ制御部２２の制御により、Ａ／Ｄ変換器１６からの画像データが画像処理部２０を介して、或いは画像処理部２０を介することなく直接、画像表示メモリ２４或いはメモリ３０に書き込まれる。
【００１９】
２７はＤ／Ａ変換器２６の出力を外部モニタに出力するための外部出力コネクタである。２８はＬＣＤ等から成る画像表示部である。メモリ制御部２２は、画像表示メモリ２４に書き込まれた表示用の画像データを、Ｄ／Ａ変換器２６を介して画像表示部２８に供給して表示させる。この場合、撮像した画像データを画像表示部２８に逐次供給して表示させることで、画像表示部２８を電子ファインダとして機能させることができる。
【００２０】
メモリ３０には、メモリ制御部２２の制御の下に、撮影した静止画像や動画像が格納される。また、メモリ３０は、システム制御部５０の作業領域や、記録媒体２００，２１０に画像データを書き込む際の書き込みバッファとしても利用される。３２は適応離散コサイン変換（ＡＤＣＴ）等により画像データを圧縮伸長する圧縮・伸長部である。圧縮伸長部３２は、メモリ３０、記録媒体２００，２１０に対して画像データをアクセスする際に、メモリ制御部２２の制御の下に当該画像データを圧縮又は伸長する。
【００２１】
４０は絞り機能を備えるシャッタ１２を制御する露光制御部であり、フラッシュ４８と連携することによりフラッシュ調光を行なうこともできる。４２は撮影レンズ１０のフォーカシングを制御する測距制御部、４４は撮影レンズ１０のズーミングを制御するズーム制御部、４６はバリア１０２の動作を制御するバリア制御部である。４８はフラッシュであり、ＡＦ補助光やフラッシュ光を発光する。
【００２２】
システム制御部５０は、不揮発性メモリ５６に記録されたプログラムを実行することで、デジタルカメラ１００の全体的な動作を制御する。この制御には、図４に示す画像データの記録処理、図５に示す画像データの再生表示処理も含まれる。５２はシステム制御部５０の動作用の定数、変数、不揮発性メモリ５６から読み出したプログラム等を展開するメモリである。
【００２３】
５４はシステム制御部５０でのプログラムの実行に応じて、文字、画像、音声等を用いて動作状態やメッセージ等を表示するＬＣＤ、スピーカ等の表示部である。この表示部５４には、絞り値、露出補正値等の他、記録媒体２００，２１０の着脱状態も表示される。      
【００２４】
５６は電気的に消去・記録可能な不揮発性メモリであり、例えばＥＥＰＲＯＭ等が用いられる。不揮発性メモリ５６には、システム制御部５０の動作用の定数、プログラム等が記憶される。５８は記録媒体２００，２１０のデータ記録速度や、取得するデータのデータレートを測定するためのタイマである。
【００２５】
６０はモードダイアルであり、電源オフ、自動撮影モード、撮影モード（パノラマ撮影モード、動画撮影モード含む）、再生モード、マルチ画面再生・消去モード、ＰＣ接続モード等の各機能モードを切り替え設定することができる。６２はシャッタスイッチであり、シャッタボタン６１の第１の押下ストロークでオンとなるスイッチＳＷ１と、第１の押下ストロークよりも深い第２の押下ストロークでオンとなるスイッチＳＷ２を有している。
【００２６】
スイッチＳＷ１がオンすると、システム制御部５０の制御の下に、ＡＦ（オートフォーカス）処理、ＡＥ（自動露出）処理、ＡＷＢ（オートホワイトバランス）処理、ＥＦ（フラッシュプリ発光）処理等の撮影前処理が行なわれる。スイッチＳＷ２がオンすると、システム制御部５０の制御の下に、撮像素子１４、Ａ／Ｄ変換器１６、画像処理部２０、メモリ制御部２２、メモリ３０、圧縮伸長部３２、記録媒体２００，２１０を用いた一連の撮影処理が行なわれる。また、動画撮影の場合は、スイッチＳＷ２がオンすると、システム制御部５０の制御により、動画撮影の開始、停止が行なわれる。
【００２７】
６８はクイックレビューＯＮ／ＯＦＦスイッチであり、撮影した画像データを自動再生するクイックレビュー機能を設定する。操作部７０は、各種スイッチ、タッチパネル等からなる。具体的には、各種機能の選択及び切り替えを設定する選択／切り替えスイッチ、各種機能の決定及び実行を設定する決定スイッチ、画像表示部２８のＯＮ／ＯＦＦを設定する表示スイッチの他に圧縮モードスイッチがある。圧縮モードスイッチは、ＪＰＥＧ（Ｊｏｉｎｔ  Ｐｈｏｔｏｇｒａｐｈｉｃ  Ｅｘｐｅｒｔ  Ｇｒｏｕｐ）圧縮の圧縮率を選択するために用いられる。
【００２８】
９０、９４は記録媒体２００，２１０とのインタフェースである。９２、９６は記録媒体２００，２１０と接続を行うコネクタである。９８はコネクタ９２、９６に記録媒体２００、２１０が装着されているか否かを検知する記録媒体着脱センサである。なお、本実施の形態では、前述のように、記録媒体２００としては、記録媒体２００としては、自動送信機能を有する着脱自在な記録媒体を用いることを想定している。  
【００２９】
１０２は、デジタルカメラ１００の撮影レンズ１０を含む撮像部を覆うことにより、撮像部の汚れや破損を防止するバリアである。１０４は光学ファインダである。記録媒体２００，２１０は、それぞれ、半導体メモリや磁気ディスク等から構成される記録部２０２，２１２の他に、インタフェース２０４，２１４、コネクタ２０６，２１６を有している。
【００３０】
図３は、記録媒体２００のハードウェア構成を示すブロック図である。図３に示すように、記録媒体２００は、記録部２０２、インタフェース２０４、及びコネクタ２０６を有している。記録部２０２は、コントローラ２０２１、メモリコア２０２２、及びデータ送信部２０２３を有している。
【００３１】
インタフェース２０４は、デジタルカメラ１００との通信を行うためのインタフェース部である。コネクタ２０６は、ホスト装置としてのデジタルカメラ１００に対して記録媒体２００を物理的に接続するための接続部材である。
【００３２】
記録部２０２のコントローラ２０２１は、インタフェース２０４を介してデジタルカメラ１００から入力されるコマンドに応じて、メモリコア２０２２に対するアクセスを実行する。また、コントローラ２０２１は、記録媒体上（メモリコア２０２２上）に構築されているファイルシステムの所定のディレクトリに保存された画像データを、データ送信部２０２３を介して他のデジダルカメラやサーバに送信する。メモリコア２０２２は、フラッシュＥＥＰＲＯＭなどの不揮発性メモリにより構成されている。データ送信部２０２３は、無線ＬＡＮなどの無線送信装置より構成されている。
【００３３】
本実施の形態では、上記のファイルシステムの規格としては、ＤＣＦ規格（Ｄｅｓｉｇｎ  ｒｕｌｅ  ｆｏｒ  Ｃａｍｅｒａ  Ｆｉｌｅ  ｓｙｓｔｅｍ）を用いることを想定している。このＤＣＦ規格では、最上位にルートディレクトリとしての「ＤＣＩＭ」というフォルダが規定され、このＤＣＩＭフォルダ以下に、フォルダ名、及びファイル名が規定されている。
【００３４】
また、本実施の形態では、デジタルカメラ１００は、画像撮影時に、撮影画像を圧縮したＪＰＥＧ画像データを、メモリコア２０２２上のルートディレクトリに有るＤＣＩＭフォルダに保存する（第１の保存機能）。すると、記録媒体２００のコントローラ２０２１は、データ送信部２０２３により、ＤＣＩＭフォルダ内のＪＰＥＧ画像データをデジタルカメラ１００以外の他の機器に自動的に送信する。
【００３５】
その後、デジタルカメラ１００は、自動送信に係るＪＰＥＧ画像データを更に圧縮（縮小）して、縮小画像データ（ＪＰＥＧ画像データ）を生成する。そして、デジタルカメラ１００は、その縮小したＪＰＥＧ画像データを、ルートディレクトリとして別途用意したＤＣＩＭ２フォルダに保存すると共に（第２の保存機能）、ＤＣＩＭフォルダ内の送信済みのＪＰＥＧ画像データを削除する。
【００３６】
図４は、画像撮影時における記録媒体２００への画像データの記録処理を示すフローチャートである。
【００３７】
デジタルカメラ１００のシステム制御部５０は、記録媒体２００が無線送信機能を有するか否かを判別する（Ｓ４０１）。無線送信機能を有しない場合は、システム制御部５０は、ユーザの操作に応じて撮影処理を実行する（Ｓ４１０）。そして、システム制御部５０は、その撮影画像データを圧縮伸長部３２によりＪＰＥＧ方式で圧縮し、そのＪＰＥＧ画像データをＤＣＩＭフォルダ以下に保存する（Ｓ４１１）。
【００３８】
記録媒体２００が無線送信機能を有する場合は、システム制御部５０は、その記録媒体２００が前述の他の機器と無線接続可能な状態であるか否かを判別する（Ｓ４０２）。無線接続可能な状態でなければ、システム制御部５０は、上記のＳ４１０、Ｓ４１１の処理を行う。
【００３９】
無線接続可能な状態であれば、システム制御部５０は、ユーザの操作に応じて撮影処理を実行する（Ｓ４０３）。そして、システム制御部５０は、その撮影画像データを圧縮伸長部３２によりＪＰＥＧ方式で圧縮し、そのＪＰＥＧ画像データをＤＣＩＭフォルダ以下に保存する（Ｓ４０４）。
【００４０】
この場合、ＤＣＦ規格に則ったＤＣＩＭフォルダが存在しないときは、システム制御部５０は、ＤＣＦ規格に則ったＤＣＩＭフォルダを作成し、そのＤＣＩＭフォルダにＪＰＥＧ画像データを保存する。また、画像データがＤＣＩＭフォルダには存在しないが、ＤＣＩＭ２には存在する場合も考えられる。この場合は、システム制御部５０は、ＤＣＩＭ２フォルダに保存されている画像データに付与された最大の画像番号の次の画像番号を付与して、今回の撮影画像データ（ＪＰＥＧ画像データ）をＤＣＩＭフォルダ以下に保存する。
【００４１】
コントローラ２０２１は、この保存処理に応じて、当該保存処理に係るＤＣＩＭフォルダ内のＪＰＥＧ画像データを、データ送信部２０２３により、デジタルカメラ１００以外の所定の機器へ無線送信する（Ｓ４０５）。
【００４２】
ＪＰＥＧ画像データの無線送信が完了すると（Ｓ４０６）、システム制御部５０は、送信に係るＪＰＥＧ画像データを縮小して（例えばサムネイル化）、データサイズを縮小する（Ｓ４０７）。次に、システム制御部５０は、縮小画像データをＤＣＩＭ２フォルダ以下に保存する（Ｓ４０８）。
【００４３】
この場合、ＤＣＩＭ２フォルダにおける縮小画像データの保存場所は、ＤＣＩＭフォルダ以下の相対パスと同様とする。すなわち、ＤＣＩＭフォルダ内の画像データを縮小して他のＤＣＩＭ２フォルダに保存する場合は、ＤＣＩＭフォルダ以下のディレクトリ構成やファイル名（識別情報）をそのまま利用してＤＣＩＭ２以下に記録する。例えば、ＤＣＩＭ／１００ＡＢＣＤＥ／ＩＭＧ＿０００１．ＪＰＧという名称の画像データが無線送信された場合は、システム制御部５０は、ＤＣＩＭ２／１００ＡＢＣＤＥ／ＩＭＧ＿０００１．ＪＰＧという相対パスに縮小画像データを保存する。
【００４４】
また、縮小画像データを保存するためのＤＣＩＭ２フォルダが無い場合は、システム制御部５０は、新規にＤＣＩＭ２フォルダを作成する。また、縮小画像データに付加するファイルフォーマット名、ファイルシステムの作成日時等の情報については、Ｓ４０４でＤＣＩＭフォルダ以下に保存した元のＪＰＥＧ画像データと同様の情報を用いてもよい。
【００４５】
なお、本実施の形態では、ＤＣＦ規格のファイルシステムを構築しているため、ファイルフォーマットとしては、Ｅｘｉｆ（Ｅｘｃｈａｎｇｅａｂｌｅ  Ｉｍａｇｅ  Ｆｉｌｅ  Ｆｏｒｍａｔ）を使用している。また、システム制御部５０は、ＤＣＩＭ２フォルダに縮小画像データを保存する場合は、その縮小画像データの削除を禁止する情報を付加して保存する。
【００４６】
次に、システム制御部５０は、Ｓ４０５において無線送信されたＪＰＥＧ画像データ、すなわち、ＤＣＩＭ２フォルダ以下に保存した縮小画像データに対応する縮小前のＪＰＥＧ画像データをＤＣＩＭフォルダから削除する（Ｓ４０９）。
【００４７】
このように、本実施の形態では、記録媒体２００により送信された画像データと未送信の画像データとを区別して、別々のフォルダに保存しているので、送信済みの画像データと未送信の画像データを容易に識別することが可能となる。また、送信済みの画像データを縮小して保存すると共に、縮小前の画像データは削除しているので、記録媒体２００のメモリ容量を節約することが可能となる。
【００４８】
次に、記録媒体２００に保存された画像データを画像表示部２８に再生表示する処理を、図５のフローチャートに基づいて説明する。
【００４９】
モードダイアル６０により再生モードが設定されると、システム制御部５０は、記録媒体２００が無線送信機能を有するか否かを判別する（Ｓ５０１）。無線送信機能を有しない場合は、システム制御部５０は、後述するＳ５０４に進む。無線送信機能を有する場合は、システム制御部５０は、ルートディレクトリにＤＣＩＭ２フォルダが有るか否かを判別する（Ｓ５０２）。ＤＣＩＭ２フォルダが無い場合は、システム制御部５０は、Ｓ５０４に進む。
【００５０】
ＤＣＩＭ２フォルダが有る場合は、システム制御部５０は、ＤＣＩＭ２以下に保存されているＪＰＥＧ画像データ（縮小画像データ）の画像番号を取得して（Ｓ５０５）、Ｓ５０４に進む。この場合、画像番号の取得の対象となるＪＰＥＧ画像データは、図４のＳ４０８での保存場所と同様とする。例えば、ＤＣＩＭ２／１００ＡＢＣＤＥ／ＩＭＧ＿０００１．ＪＰＧの画像番号は、１００−０００１となる。Ｓ５０３での画像番号の取得対象となるＤＣＩＭ２フォルダの構成例、取得した画像番号の例を、それぞれ、図６、図７に示す。
【００５１】
Ｓ５０４では、システム制御部５０は、ルートディレクトリにＤＣＩＭフォルダが有るか否を判別する。ＤＣＩＭフォルダが無い場合は、システム制御部５０は、Ｓ５０６進む。ＤＣＩＭフォルダが有る場合は、システム制御部５０は、ＤＣＩＭ以下に保存されているＪＰＥＧ画像データの画像番号を取得して（Ｓ５０５）、Ｓ５０６へ進む。この場合、システム制御部５０は、ＤＣＦ規格に則ったＪＰＥＧ画像データの画像番号だけを取得し、他の画像データの画像番号は取得しない。
【００５２】
例えば、ＤＣＩＭフォルダが図８のように構成されている場合、システム制御部５０は、Ｓ５０５では、図９に示すように、ＤＣＩＭ／１０１ＡＢＣＤＥ／ＩＭＧ＿０００１．ＪＰＧの画像番号である「１０１−０００１」等を取得する。
【００５３】
Ｓ５０６では、システム制御部５０は、表示対象となる画像データが有るか否かを判別する。この判別処理では、Ｓ５０３、Ｓ５０５で画像番号を１つも取得できなかった場合は、表示対象となる画像データが無いと判別する。
【００５４】
表示対象となる画像データが無い場合は、システム制御部５０は、本再生表示処理を終了する。表示対象となる画像データが有る場合は、システム制御部５０は、その画像データをＳ５０３，Ｓ５０５で取得した画像番号に基づいてソートする（Ｓ５０７）。
【００５５】
このソート処理は、まず、ＤＣＩＭフォルダ、又はＤＣＩＭ２フォルダの直下に有るフォルダ番号、すなわち画像番号の最初の３桁の数字に基づいて昇順にソートする。次に、ＪＰＥＧファイル番号、すなわち画像番号の最後の４桁の数字に基づいて昇順にソートする。これにより、Ｓ５０３，Ｓ５０５で取得した画像番号が図７、図９に示すものである場合は、図１０のように画像番号、すなわち画像データがソートされる。
【００５６】
次に、システム制御部５０は、Ｓ５０３，Ｓ５０５で取得した画像番号に係る画像データを画像表示部２８に表示する（Ｓ５０８）。この際に表示する画像データは、最初に撮影した画像データ、最後に撮影した画像データの何れでもよい。また、ユーザが操作部７０により画像送り操作を行った場合は、Ｓ５０７でソートした画像番号の順又は逆順に画像データを表示し、画像番号を選択した場合は、その画像番号に係る画像データを表示する。
【００５７】
このように、本実施の形態では、送信済みの画像データは、ＤＣＩＭフォルダからは削除するが、その縮小データをＤＣＩＭ２フォルダに保存するので、未送信の画像データと送信済みの画像データの両方の画像再生を行なうことが可能である。
【００５８】
また、送信済みの画像データの縮小データをＤＣＩＭ２フォルダ以下に保存する場合、フォルダ番号およびファイル番号は、その画像がＤＣＩＭフォルダに保存されていたときと同じ構成としている。そのため、ＤＣＩＭフォルダ、ＤＣＩＭ２フォルダの双方の画像データを画像番号でソートしても、撮影順が維持される。これにより、ユーザは、撮影した順又は逆順に画像データを確認することが可能となる。
【００５９】
さらに、送信済みの画像を圧縮して保存するため、記録媒体の容量の節約が可能となる。
【００６０】
なお、本発明は、上記の実施の形態に限定されることなく、以下の処理を実現することによっても実現される。即ち、上述した実施の形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６１】
３２…圧縮伸長部
５０…システム制御部
１００…デジタルカメラ
２００…記録媒体
２０２１…コントローラ
２０２３…データ送信部
【図１】
2011077654.tif 000003
【図２】
2011077654.tif 000004
【図３】
2011077654.tif 000005
【図４】
2011077654.tif 000006
【図５】
2011077654.tif 000007
【図６】
2011077654.tif 000008
【図７】
2011077654.tif 000009
【図８】
2011077654.tif 000010
【図９】
2011077654.tif 000011
【図１０】
2011077654.tif 000012